(57)【特許請求の範囲】
【請求項１】
航空障害灯を備えた複数の送電鉄塔の各々に夫々設けられ、電話機として携帯電話機または簡易型携帯電話機を備えた異常情報発信手段と、
表示部を有し、公衆電話網を介して各異常情報発信手段の前記電話機と接続される監視手段とを備え、
前記送電鉄塔の航空障害灯に断芯が発生した場合に航空障害灯に断芯が発生した送電鉄塔を知らせる監視制御と、前記送電鉄塔に設けられた前記異常情報発信手段が正常に動作するか否かを点検する点検制御とを行う遠隔監視システムであって、
前記監視制御では、
前記異常情報発信手段が、対応する送電鉄塔の航空障害灯に断芯が発生した場合に、前記異常情報発信手段が有する電話機の電話番号のみを前記監視手段に通知し、
前記監視手段が、前記異常情報発信手段から前記電話番号が通知された場合に、通知された当該電話番号のみから、航空障害灯の断芯と当該断芯が発生した前記送電鉄塔を認識して当該送電鉄塔のデータと断芯発生日時とを前記表示部に断芯発生画面として表示し、
前記点検制御では、
前記監視手段が、前記表示部の点検画面上で点検すべき送電鉄塔が選択された場合に、当該選択された送電鉄塔の異常情報発信手段の電話機の呼出しを行う呼出し信号のみを与えた後に電話を切り、
前記選択された送電鉄塔の前記異常情報発信手段が、前記監視手段から前記呼出し信号を受けた場合に、前記監視手段によって前記電話機への呼出しが切られた後に当該電話機の電話番号のみを前記監視手段に通知し、
前記監視手段が、前記選択された送電鉄塔の前記異常情報発信手段に呼出し信号のみを与えて電話を切った後、所定時間内に前記選択された送電鉄塔の前記異常情報発信手段から電話番号の通知があったか否かを判断し、前記異常情報発信手段から前記所定時間内に前記電話番号の通知があった場合には、通知された電話番号のみから当該電話番号に対応する送電鉄塔を認識して、前記選択された送電鉄塔のデータと、前記異常情報発信手段から通知された前記電話番号に対応する送電鉄塔のデータと、点検日時とを前記表示部に点検結果画面として表示し、前記異常情報発信手段から前記所定時間内に前記電話番号の通知がなかった場合には、電話番号に対応する送電鉄塔のデータ表示欄を空欄として、前記選択された送電鉄塔のデータと点検日時とを前記点検結果画面に表示ようにした遠隔監視システム。
【請求項２】
各異常情報発信手段が、対応する送電鉄塔の航空障害灯の断芯に応答して、前記電話機のオフフックおよびオンフックを制御する発信制御信号を出力する発信制御装置を有し、
対応する送電鉄塔の航空障害灯の断芯が発生した場合に、各異常情報発信手段の前記発信制御装置が、前記発信制御信号を所定時間間隔で所定回数出力し、
各異常情報発信手段の前記電話機が、前記発信制御装置の発信制御信号に応答して、前記電話機の電話番号のみを前記監視手段に前記所定時間間隔で所定回数発信し、
前記監視手段が、各送電鉄塔に設けられた前記異常情報発信手段の前記電話機の電話番号と各送電鉄塔との対応関係を表わすテーブルを有し、このテーブルに基づいて、通知された電話番号から対応する送電鉄塔を認識するようにした請求項１に記載の遠隔監視システム。
【請求項３】
前記送電鉄塔のデータが線路名および鉄塔番号である請求項１に記載の遠隔監視システム。
【請求項４】
各異常情報発信手段が、各異常情報発信手段の前記電話機に前記監視手段から前記呼出し信号のみが与えられた場合に、前記電話機への前記呼出し信号を当該電話機から受けて、前記電話機のオフフックおよびオンフックを制御する発信制御信号を前記電話機に少なくとも一回出力する発信制御装置を有する請求項１に記載の遠隔監視システム。
【請求項５】
前記選択された送電鉄塔の前記異常情報発信手段が、当該送電鉄塔の航空障害灯に断芯が発生していない状態下で前記監視手段から前記呼出し信号を受けた場合に、前記電話番号のみを前記監視手段に通知するようにした請求項１に記載の遠隔監視システム。
【請求項６】
各送電鉄塔の前記異常情報発信手段からの発信がオーバーラップしないように、前記発信制御信号の前記所定時間間隔が各送電鉄塔の前記異常情報発信手段において異なるようにした請求項２に記載の遠隔監視システム。
【発明の詳細な説明】
【０００１】
【発明の属する技術分野】
本発明は遠隔監視システムに関し、例えば送電鉄塔の航空障害灯に断芯が生じたか否かの監視などに有効に利用することができる。
【０００２】
【発明が解決しようとする課題】
送電鉄塔には周知のように航空障害灯が設けられているものがあり、航空機事故の防止などの観点から夜間でもその存在が容易に認識されるようになっている。このような送電鉄塔の航空障害灯が断芯により不点灯になっていると、特に夜間において航空機事故などを招来するおそれがあるので、現在においては、定期的な巡視によって航空障害灯の断芯を発見して修復する方法がとられている。そのため、航空障害灯の断芯の発見に時間的な遅れを生じるばかりでなく、昼間においては電源のオフにより航空障害灯が消されている場合が多いことなどから夜間巡視が必要とされることとも相俟って、保守の容易性を欠くなどの問題を生じている。このような観点から、航空障害灯を備えた送電鉄塔のように遠隔地にある監視対象の異常を、巡視に頼ることなく、迅速に認識することのできることが望まれる。
【０００３】
本発明は上記観点に基づいてなされたもので、その目的は、遠隔地の監視対象の異常を迅速に認識することができ、監視対象の巡視を不要にすることが可能な遠隔監視システムを提供することにある。
【０００４】
本発明においては、航空障害灯を備えた複数の送電鉄塔の各々に夫々設けられ、電話機として携帯電話機または簡易型携帯電話機を備えた異常情報発信手段と、表示部を有し、公衆電話網を介して各異常情報発信手段の前記電話機と接続される監視手段とを備え、前記送電鉄塔の航空障害灯に断芯が発生した場合に航空障害灯に断芯が発生した送電鉄塔を知らせる監視制御と、前記送電鉄塔に設けられた前記異常情報発信手段が正常に動作するか否かを点検する点検制御とを行う遠隔監視システムであって、前記監視制御では、前記異常情報発信手段が、対応する送電鉄塔の航空障害灯に断芯が発生した場合に、前記異常情報発信手段が有する電話機の電話番号のみを前記監視手段に通知し、前記監視手段が、前記異常情報発信手段から前記電話番号が通知された場合に、通知された当該電話番号のみから、航空障害灯の断芯と当該断芯が発生した前記送電鉄塔を認識して当該送電鉄塔のデータと断芯発生日時とを前記表示部に断芯発生画面として表示し、前記点検制御では、前記監視手段が、前記表示部の点検画面上で点検すべき送電鉄塔が選択された場合に、当該選択された送電鉄塔の異常情報発信手段の電話機の呼出しを行う呼出し信号のみを与えた後に電話を切り、前記選択された送電鉄塔の前記異常情報発信手段が、前記監視手段から前記呼出し信号を受けた場合に、前記監視手段によって前記電話機への呼出しが切られた後に当該電話機の電話番号のみを前記監視手段に通知し、前記監視手段が、前記選択された送電鉄塔の前記異常情報発信手段に呼出し信号のみを与えて電話を切った後、所定時間内に前記選択された送電鉄塔の前記異常情報発信手段から電話番号の通知があったか否かを判断し、前記異常情報発信手段から前記所定時間内に前記電話番号の通知があった場合には、通知された電話番号のみから当該電話番号に対応する送電鉄塔を認識して、前記選択された送電鉄塔のデータと、前記異常情報発信手段から通知された前記電話番号に対応する送電鉄塔のデータと、点検日時とを前記表示部に点検結果画面として表示し、前記異常情報発信手段から前記所定時間内に前記電話番号の通知がなかった場合には、電話番号に対応する送電鉄塔のデータ表示欄を空欄として、前記選択された送電鉄塔のデータと点検日時とを前記点検結果画面に表示ようにした遠隔監視システムによって、上記目的を達成する。
【０００５】
このような構成によれば、監視対象に異常が発生すると、この監視対象に設けられた異常情報発信手段が当該手段の携帯電話機または簡易型携帯電話機の電話番号を公衆電話網を介して監視手段に与え、監視手段がその電話番号から異常が発生した監視対象を認識してその異常を知らせる。そのため、監視対象の巡視を行なうことなく、監視対象の異常の発生で直ちに異常が発生した監視対象を認識することができる。
【０００７】
更に、このような構成によれば、上述したように監視対象の巡視を行うことなく監視対象の異常の発生で直ちに異常が発生した監視対象を認識することができることに加えて、各監視対象に設けられた異常情報発信手段が正常に作動するか否かを監視手段の側から点検することができる。
【０００８】
【発明の実施の形態】
図１は本発明の実施の形態の一例を示す構成図で、１は異常情報発信手段、２は監視手段である。
【０００９】
異常情報発信手段１は、航空障害灯３を備えた複数の送電鉄塔４の夫々に設けられている。各送電鉄塔４は航空障害灯制御盤５を有している。航空障害灯制御盤５は、航空障害灯３の点灯制御を行なうと共に、航空障害灯３が断芯によって不点灯になった場合に、航空障害灯３の断芯を表わす断芯信号を異常情報発信手段１に与えるようになっている。各送電鉄塔４は特許請求の範囲における複数の監視対象に対応している。異常情報発信手段１と監視手段２とは、基地局６，電話局７および公衆電話網８を介して接続されるようになっている。異常情報発信手段１は、航空障害灯制御盤５から断芯信号が与えられることで、後述するように、当該異常情報発信手段１が有する携帯電話機１３の電話番号を監視手段２に与える機能を有している。また、異常情報発信手段１は、後述するように、監視手段２からの呼出しにより当該異常情報発信手段１が有する携帯電話機１３からテスト信号が与えられることで、当該携帯電話機１３の電話番号を監視手段２に与える機能を有している。なお、電話番号は周知のナンバーディスプレイサービスによって監視手段２に与えられる。
【００１０】
図２は図１の航空障害灯制御盤５および異常情報発信手段１を示すブロック図である。
【００１１】
航空障害灯制御盤５は、航空障害灯３の断芯を検出する断芯検出器９と、断芯検出器９が航空障害灯３の断芯を検出することで断芯信号を出力する断芯信号出力リレー１０と、断芯信号の出力をリセットするリセットスイッチ１１を含んでいる。断芯信号出力リレー１０は、本例では常開接点を有し、断芯検出器９が航空障害灯３の断芯を検出した場合に接点を閉成し、所定レベルの電圧信号を異常情報発信手段１に与える。このような断芯信号出力リレー１０は、リセットスイッチ１１が操作されることで、開成状態に復帰する。
【００１２】
異常情報発信手段１は、断芯信号を入力する発信制御装置１２と、発信制御装置１２の制御下で監視手段２に電話番号を通知すると共に監視手段２からの呼出しに応答して発信制御装置１２にテスト信号を与える携帯電話機１３と、発信制御装置１２に設けられたリセットスイッチ１２ａとを有している。発信制御装置１２は、後述する図７のフローチャートに従って、断芯信号が入力された場合に、図３に示すように、携帯電話機１３のオフフックおよびオンフックを制御する発信制御信号ａを所定時間Ｔ間隔で所定回数であるＮ回出力して、その出力を停止する。発信制御信号ａの出力回数が所定回数Ｎの途中でリセットスイッチ１２ａが操作されれば、発信制御装置１２はその時点で発信制御信号ａの出力を停止する。携帯電話機１３は、オフフックされることにより固定電話機でいえば受話器を電話機本体から取った状態になり、オンフックされることにより固定電話機でいえば受話器を電話機本体に戻した状態になる。発信制御装置１２は、また、後述する図７のフローチャートに従って、携帯電話機１３からテスト信号が入力された場合に、発信制御信号ａを本例では一回出力する機能を有している。
【００１３】
図３は断芯信号に応答して図２の発信制御装置１２から出力される発信制御信号の説明図である。発信制御信号ａは２個のパルス信号からなり、１番目のパルス信号が電話をかけるためのオフフックパルスａ１で、２番目のパルス信号が電話を切るためのオンフックパルスａ２である。このような発信制御信号ａは、断芯信号出力リレー１０からの断芯信号の立上りに応答して、所定時間Ｔ毎に、当該発信制御信号ａの出力回数が所定の複数回数Ｎに達するまで出力される。発信制御信号ａの出力回数が所定回数Ｎの途中でリセットスイッチ１２ａが操作されれば、前述したように、その時点でその出力が停止される。所定時間Ｔおよび所定回数Ｎは、一時的に生じる電波状態の不安定あるいはノイズなどにより携帯電話機１３の電話番号が監視手段２側で受信されないような場合を考慮し、このような場合でも監視手段２側で携帯電話機１３の電話番号を確実に受信できるように、実験的に定められる。
【００１４】
携帯電話機１３は、監視手段２側の電話番号をメモリに格納しており、図４に示すように、発信制御信号ａのオフフックパルスａ１が与えられることで監視手段２に電話をかけ、携帯電話機１３の電話番号を通知した後、発信制御信号ａのオンフックパルスａ２が与えられることで電話を切るようになっている。発信制御信号ａのオフフックパルスａ１とオンフックパルスａ２との時間間隔ｔは、呼出準備時間および呼出時間等に基づいて設定される。時間間隔ｔをあまり長くすると回線占有時間が長くなり、他の異常情報発信手段の携帯電話機の発信に弊害をを及ぼすおそれがあるので、短くすることが望ましい。携帯電話機１３は、また、監視手段２から呼出されることで、呼出し信号をテスト信号として発信制御装置１２に与える。
【００１５】
各送電鉄塔４に設けられた発信制御装置１２から出力される発信制御信号ａは、各送電鉄塔４の携帯電話機１３からの発信がオーバーラップしないように、各送電鉄塔４の発信制御装置１２の夫々において発信制御信号ａの出力間隔である所定時間Ｔが異なるように設定されている。すなわち、図５に示すように、例えば、Ｎｏ．ｎ−１の送電鉄塔に設けられた発信制御装置の発信制御信号ａｎ−１の出力間隔である所定時間Ｔ１よりも、Ｎｏ．ｎの送電鉄塔に設けられた発信制御装置の発信制御信号ａｎの出力間隔である所定時間Ｔ２を大とすることによって、発信制御信号ａｎ−１と発信制御信号ａｎとが重ならないようにしている。これにより、複数の送電鉄塔の携帯電話機の発信が重なりあった場合でも、一方の接続の終了で他の携帯電話機が監視手段２を呼出すことができ、監視手段２に航空障害灯３の断芯を知らせることができなくなるような弊害を防止することができる。
【００１６】
図１に戻り、監視手段２は、公衆電話網８に接続されたターミナルアダプタあるいはモデムなどの送受信装置１４と、送受信装置１４を介して公衆電話網８に接続される監視用コンピュータ１５とを有している。監視用コンピュータ１５は、図６に示すような、各送電鉄塔４に設けられた異常情報発信手段１の携帯電話機１３の電話番号α１〜αｎと各送電鉄塔４のデータＫ１〜Ｋｎとの対応関係を表わすテーブルを有している。各送電鉄塔４のデータＫ１〜Ｋｎには線路名および鉄塔番号が含まれている。これにより、異常情報発信手段１の携帯電話機１３が基地局６，電話局７および公衆電話網８を介して送受信装置１４に接続されると、発信した携帯電話機１３の電話番号である例えばα１が監視用コンピュータ１５に与えられ、監視用コンピュータ１５が電話番号α１に対応する送電鉄塔のデータＫ１を読出すことができるようになっている。このような監視用コンピュータ１５は、後述する図８のフローチャートに従って、各送電鉄塔４に設けられた異常情報発信手段１から携帯電話機１３の電話番号が与えられたか否かに基づいて、各送電鉄塔４の航空障害灯３の断芯の発生を監視し、断芯が発生することで断芯が発生した送電鉄塔を報知する機能を有している。監視用コンピュータ１５は、また、後述する図９，図１０および図１１のフローチャートに従って、各送電鉄塔４に設けられた異常情報発信手段１の携帯電話機１３を呼出し、各送電鉄塔４に設けられた異常情報発信手段１が正常に作動するか否かを点検する機能を有している。
【００１７】
図７は図２の発信制御装置１２のフローチャート、図８は図１の監視用コンピュータ１５の監視制御のフローチャートである。図９，図１０および図１１は図１の監視用コンピュータ１５の点検制御のフローチャートで、図９の端子Ａ，Ｂ，Ｃは図１０および図１１の同符号の端子Ａ，Ｂ，Ｃに接続され、図１０の端子Ｄは図１１の同符号の端子Ｄに接続される。
【００１８】
航空障害灯３に断芯がなく、また、監視手段２よって各異常情報発信手段１の発信制御装置１２の点検も行なわれていない場合には、航空障害灯制御盤５から断芯信号は出力されず、また、異常情報発信手段１の携帯電話機１３からテスト信号も与えられないので、異常情報発信手段１の発信制御装置１２は、図７のステップ２０およびステップ２１を経てステップ２０に戻り、発信制御信号ａを出力することはない。監視手段２の監視用コンピュータ１５は、図８のステップ３０および３１を経てステップ３０に戻り、当該コンピュータ１５の表示部１５ａに図１２に示すように監視中であることを示す監視中画面を表示する。図１２の監視中画面において４０は点検スイッチで、当該スイッチ４０がクリックされることによって、監視用コンピュータ１５は後述する図９，図１０および図１１の点検制御に入ることとなる。
【００１９】
航空障害灯３に断芯が発生すると、航空障害灯制御盤５の断芯信号出力リレー１０から異常情報検出手段１の発信制御装置１２に断芯信号が与えられる。これにより、発信制御装置１２は図７のステップ２０からステップ２２，２３および２４の処理に入る。ステップ２２，２３および２４の処理では、リセットスイッチ１２ａが操作されない場合、発信制御信号ａが所定時間Ｔ毎にその出力回数が所定回数Ｎに達するまで出力される。発信制御装置１２は、発信制御信号ａの出力回数が所定回数Ｎになることでステップ２４からステップ２５に入り、発信制御信号ａの出力を停止すると共に発信制御信号ａの出力回数のカウント値をクリアした後、ステップ２０に戻る。これにより、携帯電話機１３は、発信制御装置１２からの発信制御信号ａによって、所定時間Ｔの時間間隔で、所定回数であるＮ回、監視手段１に当該携帯電話機１３の電話番号を通知することとなる。所定時間Ｔおよび所定回数Ｎは前述したように電波状態が不安定な場合などでも監視手段２側で携帯電話機１３の電話番号を確実に受信できるように設定されるので、電話番号は監視手段１に確実に通知される。なお、発信制御信号ａの出力回数が所定回数Ｎの途中で発信制御装置１２のリセットスイッチ１２ａが操作されれば、発信制御装置１２はステップ２３からステップ２５に入り、発信制御信号ａの出力停止および出力回数のカウント値のクリアを経てステップ２０に戻る。リセットスイッチ１２ａの操作は手動によって行なわれる。
【００２０】
監視手段２の監視用コンピュータ１５は、送受信装置１４を介して電話番号が与えられると、図８のステップ３１からステップ３２に入り、図６のテーブルに基づいて、通知された電話番号α１〜αｎに対応する送電鉄塔のデータＫ１〜Ｋｎを読出す。次いで、ステップ３３で、読出した送電鉄塔のデータである鉄塔番号および線路名、ならびに、断芯発生日時を断芯記録ファイルに格納し、次のステップ３４で監視用コンピュータ１５の表示部１５ａに監視中画面に代えて図１３に示すように断芯発生画面を表示すると共にステップ３５で警報音を発生させ、その後ステップ３６に入る。表示部１５ａの断芯発生画面には、断芯が発生した送電鉄塔の鉄塔番号および線路名、ならびに、断芯発生日時が表示される。図１３の断芯発生画面において４１はリセットスイッチで、リセットスイッチ４１がクリックされなければステップ３６からステップ３４に戻って断芯発生画面の表示を継続し、リセットスイッチ４１がクリックされることでステップ３６からステップ３０に戻り、断芯監視状態に復帰する。航空障害灯３の断芯の発生が認識された後は、断芯が発生した送電鉄塔に作業員が赴き、断芯した航空障害灯３の補修、航空障害灯制御盤５の断芯検出器９のリセット、また、必要により異常情報発信手段１の発信制御装置１２の発信制御信号ａの出力のリセットを行なうことができる。
【００２１】
監視手段２において、図１２の監視中画面の点検スイッチ４０がクリックされると、監視用コンピュータ１５は図９〜図１１の点検制御に入る。先ず、図９のステップ５０で監視用コンピュータ１５の表示部１５ａに図１４に示すように点検画面を表示する。表示部１５ａの点検画面には各送電鉄塔のデータＫ１〜Ｋｎである鉄塔番号および線路名が表示され、各送電鉄塔をクリックすることによって送電鉄塔を選択することができるようになっている。図１４の点検画面において４２は選択終了スイッチで、当該スイッチ４２がクリックされることで、監視用コンピュータ１５は、ステップ５１からステップ５２に入り、図６のテーブルに基づいて、選択された送電鉄塔に対応する携帯電話機１３に電話をかけ、当該携帯電話機１３を呼出した後に電話を切り、次のステップ５３で電話番号の通知待ちになる。
【００２２】
選択された送電鉄塔に対応する異常情報発信手段１の携帯電話機１３は、監視手段２の呼出しで、その呼出し信号をテスト信号として発信制御装置１２に与える。これにより、発信制御装置１２は、図７のステップ２１からステップ２６および２７の処理に入り、携帯電話機１３がオンフックになった後に発信制御信号ａを出力する。これにより、携帯電話機１３が電話番号を監視手段２に発信する。なお、本例では点検の際には発信制御信号ａを一回出力するようにしているが、断芯の場合のように、発信制御信号ａを所定の時間間隔で複数回与えるようにしてもよいことは勿論である。
【００２３】
監視手段２の監視用コンピュータ１５は、電話番号が通知されることで図９のステップ５３から図１０のステップ５４に入り、図６のテーブルに基づいて、通知された電話番号に対応する送電鉄塔を読出す。次いで、ステップ５５で、図９のステップ５０および５１の処理で選択された送電鉄塔のデータ，図１０のステップ５４の処理で読出された送電鉄塔のデータ，点検日時を点検結果ファイルに格納し、次のステップ５６で監視用コンピュータ１５の表示部１５ａに点検画面に代えて図１５に示すように点検結果画面を表示し、ステップ５７に入る。表示部１５ａの点検結果画面には、選択された送電鉄塔のデータである鉄塔番号および線路名、読出された送電鉄塔のデータである鉄塔番号および線路名、ならびに、点検日時が表示される。これにより、選択された送電鉄塔と読出された送電鉄塔との対比から、選択された送電鉄塔の発信制御装置１２が正常に作動していることを認識することができる。図１５の点検結果画面において、４３はリセットスイッチ、４４は点検終了スイッチである。監視用コンピュータ１５は、リセットスイッチ４３がクリックされなければステップ５７からステップ５６に戻って点検結果画面の表示を継続し、リセットスイッチ４３がクリックされることでステップ５７からステップ５８の点検終了判断に入る。点検終了スイッチ４４がクリックされなければステップ５８から図９のステップ５０に戻って点検制御が継続され、点検終了スイッチ４４がクリックされることで図８の監視制御に復帰する。
【００２４】
監視用コンピュータ１５は、図９のステップ５３および５９で所定時間経過しても電話番号が通知されない場合、図９のステップ５９から図１１のステップ６０に入り、図９のステップ５０および５１の処理で選択された送電鉄塔のデータ，点検日時を点検結果ファイルに格納し、次のステップ６１で選択された送電鉄塔のデータ，点検日時を点検結果画面を表示し、ステップ６２に入る。この結果、図１５の点検結果画面において、読出された送電鉄塔の表示が空欄となり、異常情報発信手段１の作動の異常を認識することができる。なお、電波状態の不安定などにより携帯電話機１３から電話番号が通知されないような場合も同様の表示になるが、同一の送電鉄塔に対して点検を複数回繰返すことにより、電波状態の不安定などによるものか否かと識別することができる。ステップ５９の所定時間は、監視手段２による異常情報発信手段１の携帯電話機１３の呼出しの後、当該携帯電話機１３から電話番号が通知されるまでの時間に基づいて、設定される。監視用コンピュータ１５は、リセットスイッチ４３がクリックされなければステップ６２からステップ６１に戻って点検結果画面の表示を継続し、リセットスイッチ４３がクリックされることでステップ６２から図１０のステップ５８の点検終了判断に入り、上述したように、点検終了スイッチ４４のクリックに応じて点検制御の継続または監視制御に復帰することとなる。
【００２５】
上述した例では異常情報発信手段１に携帯電話機１３を設けたが、簡易型携帯電話機すなわちＰＨＳでもよい。図１６は簡易型携帯電話機を用いた場合の発信制御装置の発信制御信号の説明図、図１７は図１６の発信制御信号に対する簡易型携帯電話機の動作説明図である。発信制御信号ｂは、単一のパルス信号で、断芯信号出力リレー１０からの断芯信号の立上りに応答して出力され、その立上りで簡易型携帯電話機をオフフックさせ、立下りでオンフックさせる。発信制御信号ｂは、携帯電話機１３の場合と同様に、所定時間Ｔ毎に、当該発信制御信号ｂの出力回数が所定の複数回数Ｎに達するまで出力される。簡易型携帯電話機は、監視手段２側の電話番号をメモリに格納しており、発信制御信号ｂの立上りで監視手段２に電話をかけ、簡易型携帯電話機の電話番号を通知した後、発信制御信号ｂの立下りで電話を切るようになっている。発信制御信号ｂのパルス幅ｔｐは、呼出準備時間および呼出時間等に基づいて設定され、他の異常情報発信手段からの発信に弊害を及ぼさないように短くすることが望ましい。
【００２６】
以上述べた例では、点検制御において、選択された送電鉄塔と読出された送電鉄塔とを表示することによって点検結果を確認するようにしたが、これに限定するものではない。このような表示を与えることなく、例えば、監視手段側において発信履歴と受信履歴との照合によって点検結果を確認するようにしてもよい。また、上述の例では、航空障害灯を備えた送電鉄塔を監視対象として述べたが、これに限定するものではなく、例えば河川における各地点の水位監視などの他の監視対象にも適用できることは勿論である。
【００２７】
【発明の効果】
以上説明したように本発明によれば、複数の監視対象の各々に設けられた異常情報発信手段が、携帯電話機または簡易型携帯電話機を有し、対応する監視対象の異常に応答して、当該電話機の電話番号を公衆電話網を介して監視手段に与えるようにすると共に、異常情報発信手段から電話番号が与えられた場合に、監視手段が、与えられた電話番号から対応する監視対象を認識してその異常を報知するようにしたので、遠隔地の監視対象の異常の発生を迅速に認識することができ、異常が生じているか否かを認識するための監視対象の巡視を不要にすることが可能で、保守の容易性および保守コストの低減を図ることのできる遠隔監視システムを提供することができる。
【００２８】
また、上記構成に加えて、外部操作に応答して監視手段が公衆電話網を介して各監視対象の異常情報発信手段の携帯電話機または簡易型携帯電話機を呼出すことにより、対応する監視対象の異常情報発信手段が、呼出された携帯電話機または簡易型携帯電話機から与えられるテスト信号に応答して、電話番号を公衆電話網を介して監視手段に与えるようにしたので、遠隔地の監視対象に赴くことなく、異常情報発信手段が正常に動作するか否かを監視手段から点検することができ、点検作業の容易性を極めて向上させることができる。
【００２９】
また、対応する監視対象に異常が発生した場合に、異常情報発信手段の携帯電話機または簡易型携帯電話機から、所定時間間隔で、所定回数、電話番号が通知されるようにしたので、電波状態の不安定あるいはノイズなどにより電話番号が監視手段で受信されないような場合を防止することができ、監視手段に携帯電話機または簡易型携帯電話機の電話番号を確実に通知することができる。
【００３０】
更に、各監視対象の異常情報発信手段の携帯電話機または簡易型携帯電話機からの発信がオーバーラップしないように、発信制御信号の所定時間間隔を、各監視対象の異常情報発信手段において異なるようにしたので、複数の監視対象の携帯電話機または簡易型携帯電話機の発信が重なりあった場合でも、一方の接続の終了で他の電話機が監視手段を呼出すことができ、監視手段に監視対象の異常を知らせることができなくなるような弊害を防止することができる。
【図面の簡単な説明】
【図１】図１は本発明の実施の形態の一例を示す構成図である。
【図２】図２は図１の航空障害灯制御盤および異常情報発信手段を示すブロック図である。
【図３】図３は断芯信号に応答して図２の発信制御装置から出力される発信制御信号の説明図である。
【図４】図４は発信制御信号に対する図２の携帯電話機の動作説明図である。
【図５】図５は各送電鉄塔に設けられた図２の発信制御装置の発信制御信号の夫々の関係を説明するための説明図である。
【図６】図６は図１の監視用コンピュータが有する携帯電話機の電話番号と各送電鉄塔との対応関係を表わすテーブルの説明図である。
【図７】図７は図２の発信制御装置のフローチャートである。
【図８】図８は図１の監視用コンピュータの監視制御のフローチャートである。
【図９】図９は図１の監視用コンピュータの点検制御のフローチャートである。
【図１０】図１０は図１の監視用コンピュータの点検制御のフローチャートで、図９の同符号の端子Ａ，Ｃに接続される。
【図１１】図１１は図１の監視用コンピュータの点検制御のフローチャートで、図９および図１０の同符号の端子Ｂ，Ｄに接続される。
【図１２】図１２は図１の監視用コンピュータの監視中画面の一例を示す図である。
【図１３】図１３は図１の監視用コンピュータの断芯発生画面の一例を示す図である。
【図１４】図１４は図１の監視用コンピュータの点検画面の一例を示す図である。
【図１５】図１５は図１の監視用コンピュータの点検結果画面の一例を示す図である。
【図１６】図１６は簡易型携帯電話機を用いた場合の発信制御装置の発信制御信号の説明図である。
【図１７】図１７は図１６の発信制御信号に対する簡易型携帯電話機の動作説明図である。
【符号の説明】
１  異常情報発信手段
２  監視手段
３  航空障害灯
４  送電鉄塔
５  航空障害灯制御盤
８  公衆電話網
９  断芯検出器
１０  断芯信号出力リレー
１２  発信制御装置
１３  携帯電話機
１４  送受信装置
１５  監視用コンピュータ
【図１】
0004771108.tif 000002
【図２】
0004771108.tif 000003
【図３】
0004771108.tif 000004
【図４】
0004771108.tif 000005
【図５】
0004771108.tif 000006
【図６】
0004771108.tif 000007
【図７】
0004771108.tif 000008
【図８】
0004771108.tif 000009
【図９】
0004771108.tif 000010
【図１０】
0004771108.tif 000011
【図１１】
0004771108.tif 000012
【図１２】
0004771108.tif 000013
【図１３】
0004771108.tif 000014
【図１４】
0004771108.tif 000015
【図１５】
0004771108.tif 000016
【図１６】
0004771108.tif 000017
【図１７】
0004771108.tif 000018